(57)【特許請求の範囲】
【請求項１】
画像形成装置の操作を行うための入力キーと入力された内容が表示される表示部とを有し、画像形成装置を操作する第一のユーザインタフェイス部と、画像形成装置の操作を行うための入力キーと入力された内容が表示される表示部とを有し、画像形成装置を操作する第二ユーザインタフェイス部と、を有し、第一のユーザインタフェイス部の表示部と入力部が画像形成装置の上面側で略水平方向に配置され、第二のユーザインタフェイス部の表示部と入力部が画像形成装置の正面側で略垂直方向に配置される画像形成装置において、
第一のユーザインタフェイス部は入力キーと表示部が左右に並んで配置され、第二のユーザインタフェイス部は入力キーと表示部が上下に並んで配置され、第一のユーザインタフェイス部と第二のインターフェイス部とのそれぞれから同じ操作が行えることを特徴とする画像形成装置。
【請求項２】
第一のユーザインタフェイス部の入力キーおよび表示部と、第二のユーザインタフェイス部の入力キーとは略同一の高さにあることを特徴とする請求項１に記載の画像形成装置。
【請求項３】
第一と第二のユーザインタフェイス部の間にはユーザインタフェイス部を切り換えて使用するための切り換えスイッチを有することを特徴とする請求項１に記載の画像形成装置。
【請求項４】
第一と第二のユーザインタフェイス部を切り換える切り換えスイッチは第二のユーザインタフェイス部上で、第一のユーザインタフェイス部に近い側に設けられたことを特徴とする請求項３に記載の画像形成装置。
【請求項５】
第一と第二のユーザインタフェイス部を切り換える切り換えスイッチは第二のユーザインタフェイス部上で、第一のユーザインタフェイス部に近い側に設けられ、切り換えスイッチはレバー式でレバーを左右方向に倒すよう配置したことを特徴とする請求項３に記載の画像形成装置。
【請求項６】
第一のユーザインタフェイス部と第二のユーザインタフェイス部とユーザインタフェイス部を切り換える切り換えスイッチは略同一高さにあることを特徴とする請求項３に記載の画像形成装置。
【発明の詳細な説明】
【０００１】
【発明の属する技術分野】
本発明は、複写機、プリンタ等の画像形成装置に関し、特に複写機等のユーザインタフェイス部に関する。
【０００２】
【従来の技術】
従来の複写機等の画像形成装置に具備されているユーザインタフェイス部では、成人健常者が立ち姿勢で操作を行い易いようユーザインタフェイス部は画像形成装置の上面に略水平に設置されているものが多かった。
【０００３】
【発明が解決しようとしている課題】
しかしながら、上記従来例では背の低い子供や車椅子等を使用しての座り姿勢で操作を行う場合、ユーザインタフェイス部の入力キーや表示部が上面を向いて設置されているため、入力キーや表示部が非常に見難く、操作が困難な欠点があった。
【０００４】
本発明は上記のユーザインタフェイス部のディスアビリティ対応を目的とするもので、上記の点を改善した画像形成装置を提供することを目的とする。
【０００５】
【課題を解決するための手段】
本発明は下記の構成を特徴とする画像形成装置である。
【０００７】
（１）画像形成装置の操作を行うための入力キーと入力された内容が表示される表示部とを有し、画像形成装置を操作する第一のユーザインタフェイス部と、画像形成装置の操作を行うための入力キーと入力された内容が表示される表示部とを有し、画像形成装置を操作する第二ユーザインタフェイス部と、を有し、第一のユーザインタフェイス部の表示部と入力部が画像形成装置の上面側で略水平方向に配置され、第二のユーザインタフェイス部の表示部と入力部が画像形成装置の正面側で略垂直方向に配置される画像形成装置において、
第一のユーザインタフェイス部は入力キーと表示部が左右に並んで配置され、第二のユーザインタフェイス部は入力キーと表示部が上下に並んで配置され、第一のユーザインタフェイス部と第二のインターフェイス部とのそれぞれから同じ操作が行えることを特徴とする画像形成装置。
【０００８】
（２）第一のユーザインタフェイス部の入力キーおよび表示部と、第二のユーザインタフェイス部の入力キーとは略同一の高さにあることを特徴とする（１）に記載の画像形成装置。
【０００９】
（３）第一と第二のユーザインタフェイス部の間にはユーザインタフェイス部を切り換えて使用するための切り換えスイッチを有することを特徴とする（１）に記載の画像形成装置。
【００１０】
（４）第一と第二のユーザインタフェイス部を切り換える切り換えスイッチは第二のユーザインタフェイス部上で、第一のユーザインタフェイス部に近い側に設けられたことを特徴とする（３）に記載の画像形成装置。
【００１１】
（５）第一と第二のユーザインタフェイス部を切り換える切り換えスイッチは第二のユーザインタフェイス部上で、第一のユーザインタフェイス部に近い側に設けられ、切り換えスイッチはレバー式でレバーを左右方向に倒すよう配置したことを特徴とする（３）に記載の画像形成装置。
【００１２】
（６）第一のユーザインタフェイス部と第二のユーザインタフェイス部とユーザインタフェイス部を切り換える切り換えスイッチは略同一高さにあることを特徴とする（３）に記載の画像形成装置。
【００１３】
【発明の実施の形態】
［実施例１］
以下、図面を参照して本発明の実施例を説明する。図１は本発明に係る画像形成装置の一実施例である複写機の概略を示す斜視図、図２は複写機の正面図、図３は複写機の主断面図（縦断正面図）、図４は複写機本体の上面部に設けられた第一のユーザインタフェイス部の平面図、図５は複写機本体の右側に設けられた第二のユーザインタフェイス部の正面図である。
【００１４】
（１）複写機の全体的な概略構成
図１〜図３において、２０１はイメージスキャナ部であり、原稿を読み取り、デジタル信号処理を行う部分である。
【００１５】
２００はプリンタ部であり、イメージスキャナ２０１に読み取られた原稿画像に対応した画像を用紙にフルカラーでプリント出力する部分である。
【００１６】
３００は第一のユーザインタフェイス部であり、複写機本体の上面に略水平に設置され、複写機の複写部数等プリント条件の設定、装置の操作を行うと共に、ＬＣＤ表示部に装置の諸情報を表示するユーザインタフェイス部である。
【００１７】
４００は第二のユーザインタフェイス部であり、複写機本体右側に略垂直に設置され、第一のユーザインタフェイス部３００と同様の機能を持つユーザインタフェイス部である。
【００１８】
第一のユーザインタフェイス部３００と第二のユーザインタフェイス部４００は使用者が使用しやすい方のユーザインタフェイス部を選択して使用できるように第二のユーザインタフェイス部４００に具備させた切り換えスイッチ５０１で切り換え可能としている。
【００１９】
第一のユーザインタフェイス部３００もしくは第二のユーザインタフェイス部４００で、使用者が設定した情報（複写部数、カラー／白黒、画像加工等）に基づいてプリンタ２００、イメージスキャナ２０１は以下の動作を行い所望の画像を出力する。
【００２０】
主として図３を参照して、イメージスキャナ部２０１において、２０２は原稿圧板であり、原稿台ガラス２０３上の原稿２０４を、ハロゲンランプ２０５の光で照射する。原稿からの反射光はミラー２０６、２０７に導かれ、レンズ２０８により３ラインセンサ（以下ＣＣＤ）２１０上に像を結ぶ。レンズ２０８には赤外カットフィルタ２３１が設けられている。
【００２１】
ＣＣＤ２１０は原稿からの光情報を色分解して、フルカラー情報のレッド（Ｒ），グリーン（Ｇ），ブルー（Ｂ）成分を読み取り、信号処理部２０９に送る。
【００２２】
ＣＣＤ２１０の各色成分読み取りセンサ列２１０−１、２１０−２、２１０−３は各々５０００画素の画素から構成されている。これにより原稿台ガラス２０３に載置される原稿中で最大サイズであるＡ３サイズの原稿の短手方向長さ２９７ｍｍを４００ｄｐｉの解像度で読み取る。
【００２３】
なお、ハロゲンランプ２０５とミラー２０６は速度ｖで、ミラー２０７は１／２ｖでラインセンサの電気的走査方向（以下、主走査方向）に対して垂直方向（以下、副走査方向）に機械的に動くことにより、原稿全面を走査する。
【００２４】
２１１は標準白色板であり、センサ２１０−１〜２１０−３のＲ，Ｇ，Ｂセンサの読み取りデータの補正データを発生する。この標準白色板２１１は可視光でほぼ均一の反射特性を示し、可視では白色の色を有している。この標準白色板２１１を用いてセンサ２１０−１〜２１０−３の可視センサ出力データの補正を行う。
【００２５】
画像信号処理部２０９では読み取られた信号を電気的に処理し、マゼンタ（Ｍ），シアン（Ｃ），イエロー（Ｙ），ブラック（ＢＫ）の各成分に分解し、プリンタ部２００に送る。また、イメージスキャナ部２０１における一回の原稿走査（スキャン）につき、Ｍ，Ｃ，Ｙ，ＢＫの内、一つの成分がプリンタ２００に送られ、計４回の原稿走査により一回のプリントアウトが完成する。
【００２６】
イメージスキャナ部２０１より送られてくるＭ，Ｃ，Ｙ，ＢＫの画像信号は、レーザドライバ１０１に送られる。レーザドライバ１０１は画像信号に応じ、半導体レーザ１０２を変調駆動する。レーザ光はポリゴンモータ１０６で回転駆動されるポリゴンミラー１０３によって主走査方向にスキャンされ、ｆ−θレンズ１０４、ミラー２１６を介し、感光ドラム１０５上を走査する。
【００２７】
２１９〜２２２は現像器であり、マゼンタ現像器２１９、シアン現像器２２０、イエロー現像器２２１、ブラック現像器２２２より構成され、４つの現像器が交互に感光ドラム１０５に接し、感光ドラム１０５上に形成されたＭ，Ｃ，Ｙ，ＢＫの静電潜像を対応するトナーで現像する。
【００２８】
１０８は転写ドラムで、感光ドラム１０５とギアで接続され、感光ドラム１０５に追従して回転している。用紙カセット２２５より給紙された用紙１０９をこの転写ドラム１０８に巻き付け、感光ドラム１０５上に現像されたトナー像を用紙に転写する。転写ドラム１０８内にはＴＯＰセンサ１１０と、転写ドラム１０８に追従して回転されるセンサ遮光フラグ１１１が設置されている。遮光フラグ１１１がＴＯＰセンサ１１０を遮光した時に発生するＴＯＰ信号は、転写ドラム１０８の回転位置基準信号となり、プリンタ２００はこの信号に同期してイメージスキャナに対して画像出力を要求することにより各色が必ず転写ドラム１０８上の所定の位置に形成され、各色の書き出し位置を合わせることが出来る。
【００２９】
このようにしてＭ，Ｃ，Ｙ，ＢＫの４色が順次転写された後に、定着ユニット２２６を通過することで用紙にトナー像が定着され、そして機外に排出される。
【００３０】
以上、実施例の複写機についてのおおまかな動作についての説明である。
【００３１】
（２）第一および第二のユーザインタフェイス部３００・４００
次に本発明のユーザインタフェイス部について詳細な説明を行う。
【００３２】
図４の第一のユーザインタフェイス部３００と図５の第二のユーザインタフェイス部４００に具備されているＬＣＤ表示部３０１・４０１は同一のものである。同様にスタートキー３０２・４０２、ストップキー３０３・４０３、テンキー３０４・４０４やその他のキーも同様に同一のものを用いている。これはユーザが第一と第二のユーザインタフェイス部３００・４００によって使用しているキーや表示部が異なると操作に混乱を来たす可能性があることへの配慮のためである。これによりユーザは第一と第二のユーザインタフェイス部３００・４００は同一のものであることが容易に認識でき、更に操作自体も同じであることが認識できる。
【００３３】
第一のユーザインタフェイス部３００は図１・図２・図４のように複写機本体の上面に略水平に設置されており、第二のユーザインタフェイス部４００は図１・図２・図５のように複写機本体の右側面に略垂直に設置されている。この第一と第二のユーザインタフェイス部３００・４００では同一の操作が可能であるため、通常ユーザはどちらか一方のユーザインタフェイス部を使用することになる。このため第二のユーザインタフェイス部４００には第一と第二のユーザインタフェイス部３００・４００とを切り換えるための切り換えスイッチ５０１が設けられている。
【００３４】
この切り換えスイッチ５０１を例えば本実施例では、上側に倒すと第二のユーザインタフェイス部４００が使用可能で、下側に倒すと第一のユーザインタフェイス部３００が使用可能としている。
【００３５】
従来の複写機ではユーザインタフェイス部は複写機本体の上面に略水平に設置されており、そのユーザインタフェイス部の操作面高さは床面から約１ｍ程度あった。本実施例でも第一のユーザインタフェイス部３００は、従来例と同様に床面から約１ｍの高さの位置に設置されている。
【００３６】
この第一のユーザインタフェイス部３００の高さは成人健常者が立ち姿勢で最も操作を行いやすい高さということで、複写機のユーザインタフェイス部では０．９〜１ｍの高さを用いているものが多い。しかしながら背の低い子供や車椅子等を使用しての座り姿勢での操作では、この第一のユーザインタフェイス部３００では表示部３０１や入力キー３０２〜３０４が見難く操作しにくい欠点がある。
【００３７】
このため本発明では子供や車椅子等を使用しての座り姿勢でも操作が行いやすいよう第二のユーザインタフェイス部４００を具備させている。この第二のユーザインタフェイス部４００は図１・図２・図５に示すように複写機本体の右側面に略垂直に設置されている。このためこの第二のユーザインタフェイス部４００は複写機本体の正面からの視認が容易となり、子供や車椅子等を使用しての座り姿勢でも操作が行いやすくなっている。
【００３８】
また、第一のユーザインタフェイス部３００では表示部３０１とスタートキー３０２、ストップキー３０３、テンキー３０４、その他の入力キーは左右に並べて横長形状に配置されている。第二のユーザインタフェイス部４００では表示部４０１とスタートキー４０２、ストップキー４０３、テンキー４０４、その他の入力キーは上下に並べて縦長形状に配置されている。これは第一のユーザインタフェイス部３００が縦長形状であると原稿台ガラス２０３や原稿圧板２０２までの前奥方向の距離が遠くなり、子供や車椅子等を使用しての座り姿勢での操作が非常に困難になるためこの配置とした。また第二のユーザインタフェイス部が横長形状であると原稿台ガラス２０３や原稿圧板２０２までの左右方向の距離が遠くなり操作しにくくなる事と、複写機装置の占有面積が大きくなってしまうためこの配置とした。
【００３９】
次に第二のユーザインタフェイス部４００の床面からの高さ方向位置に関して、第二のユーザインタフェイス部４００のスタートキー４０２、ストップキー４０３、テンキー４０４、その他の入力キーは第一のユーザインタフェイス部３００と略同一の高さに設置されている。これは子供や座り姿勢のユーザにとって最も操作・視認しやすい高さであることと、立ち姿勢のユーザが第一のユーザインタフェイス部３００と第二のユーザインタフェイス部４００を切り換えて使用するような場合でも操作が行いやすいよう配慮したためである。
【００４０】
また第一と第二のユーザインタフェイス部３００・４００とを切り換える切り換えスイッチ５０１も第一と第二のユーザインタフェイス部３００・４００と略同一の高さに設置されている。これは第一のユーザインタフェイス部３００と切り換えスイッチ５０１を略同一の高さとしておけば、切り換えスイッチ５０１を切り換え、第一のユーザインタフェイス部３００を操作する流れが最短で効率良く行えるためである。また第二のユーザインタフェイス部４００についても同様に操作の流れが最短で効率良く行える。
【００４１】
従って、第一のユーザインタフェイス部３００と第二のユーザインタフェイス部４００は略同一の高さになる。
【００４２】
第二のユーザインタフェイス部４００の操作面は、垂直より約１０°上面を向くよう傾斜されて設置されている。これは成人健常者が立ち姿勢で切り換えスイッチ５０１を操作しやすいようにするためと、第二のユーザインタフェイス部４００の操作面を見やすくするためである。
【００４３】
次に切り換えスイッチ５０１は第二のユーザインタフェイス部４００上で、第一のユーザインタフェイス部３００に近い側の位置に配置されている。これは第一のユーザインタフェイス部３００を使うユーザでも第二のユーザインタフェイス部４００を使うユーザでも切り換えが容易にできるための配慮である。仮に第一のユーザインタフェイス部３００上に切り換えスイッチ５０１があったとすると、子供や座り姿勢で操作するユーザに認識できない恐れがある。
【００４４】
また、上述したように第一のユーザインタフェイス部３００と第二のユーザインタフェイス部４００と切り換えスイッチ５０１とを略同一の高さに配置し、第一と第二のユーザインタフェイス部３００・４００の間に切り換えスイッチ５０１を配置することにより、より切り換えスイッチ５０１を切り換えてユーザインタフェイス部を操作する流れが最短で効率良く行える。
【００４５】
［実施例２］
実施例１ではユーザインタフェイス部を切り換える切り換えスイッチ５０１は上下方向にキーを倒すスイッチを用いた。スイッチキー５０２を図６のように左右方向に倒すよう配置し、キーの倒れている方向のユーザインタフェイス部を使用可能とすれば、使用者はユーザインタフェイス部のＬＣＤ表示部や各種キーの点灯等を確認しなくてもスイッチキー５０２の向きにより、どちらのユーザインタフェイス部が使用可能か直ぐに認識可能である。
【００４６】
【発明の効果】
以上説明したように本発明によれば、画像形成装置に上面方向からの操作性・視認性が良い略水平に設置された第一のユーザインタフェイス部と、正面方向からの操作性・視認性が良い略垂直に設置された第二のユーザインタフェイス部と２つのユーザインタフェイス部を具備することで、立ち姿勢のユーザにも子供や座り姿勢のユーザにも非常に操作がしやすい画像形成装置を提供できる。
【００４７】
また第一と第二のユーザインタフェイス部で同じ構成部品を使用しているため、操作方法も同じとなり、ユーザが混乱することなく操作が可能となる。また同一の部品を使用することにより部品のコスト、金型コストも押さえることができる。
【００４８】
また第一のユーザインタフェイス部は、表示部と入力キーを左右に並べて配置し、第二のユーザインタフェイス部は、表示部と入力キーを上下に並べて配置しているが、これにより第一と第二のインタフェイス部と原稿ガラスや原稿圧板との距離が短くなるため操作しやすくなり、更に画像形成装置自体の大きさも小型化することができる。
【００４９】
また第二のユーザインタフェイス部の入力キー高さを第一のユーザインタフェイス部の入力キー高さとほぼ同じとし、切り換えスイッチもほぼ同じ高さとすることで、切り換えスイッチを切り換えてユーザインタフェイス部を操作する流れが最短で効率良く操作でき、更に座り姿勢のユーザにはユーザインタフェイス部が視認しやすく、立ち姿勢のユーザにはどちらのユーザインタフェイス部でも使用することが可能となる。
【００５０】
また第一と第二のユーザインタフェイス部を切り換える切り換えスイッチを、第二の操作部上で、第一のユーザインタフェイス部に近い側に設けることにより、子供や座り姿勢のユーザにも立ち姿勢のユーザにもユーザ自身の姿勢を大きく変化させることなくユーザインタフェイス部を切り換えることが可能となる。
【図面の簡単な説明】
【図１】  実施例の複写機の斜視図
【図２】  実施例の複写機の正面図
【図３】  実施例の複写機の主断面図（縦断正面）
【図４】  第一のユーザインタフェイス部の平面図
【図５】  第二のユーザインタフェイス部の正面図
【図６】  第二の実施例における複写機の第二のユーザインタフェイス部の斜視図
【符号の説明】
１０１：レーザドライバ、１０２：半導体レーザ、１０３：ポリゴンミラー、１０４：ｆ−θレンズ、１０５：感光ドラム、１０６：ポリゴンモータ、１０８：転写ドラム、１０９：用紙、１１０：ＴＯＰセンサ、１１１：遮光フラグ、２００：プリンタ、２０１：イメージスキャナ、２０２：原稿圧板、２０３：原稿台ガラス、２０４：原稿、２０５：ハロゲンランプ、２０６：ミラー、２０７：ミラー、２０８：レンズ、２０９：信号処理部、２１０：ＣＣＤ、２１０−１：センサ、２１０−２：センサ、２１０−３：センサ、２１１：標準白色板、２１６：ミラー、２１９：マゼンタ現像器、２２０：シアン現像器、２２１：イエロー現像器、２２２：ブラック現像器、２２５：用紙カセット、２２６：定着ユニット、２３１：赤外カットフィルタ、３００：第一のユーザインタフェイス部、３０１：ＬＣＤ表示部、３０２：スタートキー、３０３：ストップキー、３０４：テンキー、４００：第二のユーザインタフェイス部、４０１：ＬＣＤ表示部、４０２：スタートキー、４０３：ストップキー、４０４：テンキー、５０１：切り換えスイッチ、５０２：切り換えスイッチ
【図１】
0003720739.tif 000002
【図２】
0003720739.tif 000003
【図３】
0003720739.tif 000004
【図４】
0003720739.tif 000005
【図５】
0003720739.tif 000006
【図６】
0003720739.tif 000007